Podtech/llm-jp-corpus-v4-ja_patent huggingface dataset:
(57)【要約】      （修正有）【課題】縦湯道のサンドカットを防いで、正常な流量を保証し、コールドシャット現象の発生を避けることができる湯口系を提供する。【解決手段】四方弁５、四方弁に設けられる上縦湯道１、下縦湯道２、及び横湯道４を含み、四方弁に上縦湯道と連接される湯口カップ６が設けられる。【選択図】図２
0003178996.tif 000002
【実用新案登録請求の範囲】
【請求項１】
湯口系において、
四方弁と、四方弁に設けられる上縦湯道と、下縦湯道と、横湯道とを含み、前記四方弁に上縦湯道と連接される湯口カップが設けられる、ことを特徴とする湯口系。
【請求項２】
前記湯口カップの高さが４０〜４５ｍｍである、ことを特徴とする請求項１に記載の湯口系。
【請求項３】
前記下縦湯道の下端にボトムゲート型湯道が連接され、前記ボトムゲート型湯道に下縦湯道と連接される湯口カップが設けられる、ことを特徴とする請求項１に記載の湯口系。
【考案の詳細な説明】
【技術分野】
【０００１】
本考案は１つの湯口系に係る。
【背景技術】
【０００２】
従来の湯口系において従来から下記の問題が存在している。型合わせする過程において必然的に誤差が存在するため、図１に示すように、もし見切り位置（ハフ面、幅木と外型との接合面を含む）を湯口系のインナースリーブから作製した縦湯道が経過すれば、上縦湯道１と下縦湯道２は見切り位置において１つの偏差を発生し、見切り位置に位置される下縦湯道２とボトムゲート型湯道３にも同じように偏差が存在し、この偏差は非常に避けにくい。一旦このような偏差が形成されたら、縦湯道はこの箇所においてサンドカットを発生しやすく、溶鋼が不純であることをもたらし、製品品質に影響するとともに、縦湯道の断面がこの箇所において小さくなることに相当することにより、縦湯道の全体の流量はこのような位置により小さくなり、流量が足りなく、コールドシャットなどさまざまな問題を引き起こしやすい。
【考案の概要】
【考案が解決しようとする課題】
【０００３】
１つの湯口系を提供し、見切り位置に偏差が発生することにより縦湯道がサンドカットしやすい問題を解決し、溶鋼が不純であることを避け、製品品質を保証するとともに、縦湯道の正常な流量を保証し、コールドシャット現象の発生を避けることができることである。
【課題を解決するための手段】
【０００４】
湯口系であって、四方弁、四方弁に設けられる上縦湯道、下縦湯道、及び横湯道を含み、前記四方弁に上縦湯道と連接される湯口カップが設けられる。
【０００５】
好ましくは、前記湯口カップの高さが４０〜４５ｍｍである。湯口カップの設置により横湯道が取り消され、またはその位置が移動されることを避けた。
【０００６】
好ましくは、前記下縦湯道の下端にボトムゲート型湯道が連接され、前記ボトムゲート型湯道に下縦湯道と連接される湯口カップが設けられる。縦湯道とボトムゲート型湯道の正常な流量を保証し、コールドシャット現象の発生を避けた。
【考案の効果】
【０００７】
本考案は上記技術手段を採用して１つの湯口系を提供し、見切り位置において偏差が発生することにより縦湯道がサンドカットしやすい問題を解決し、避免了溶鋼が不純であることを避け、製品品質を保証するとともに、縦湯道とボトムゲート型湯道の正常な流量を保証し、コールドシャット現象の発生を避けた。
【図面の簡単な説明】
【０００８】
【図１】従来の湯口系の構造説明図である。
【図２】本考案の構造説明図である。
【考案を実施するための最良の形態】
【０００９】
図２に示すように、湯口系であって、四方弁５、四方弁５に設けられる上縦湯道１、下縦湯道２、及び横湯道４を含み、四方弁５に上縦湯道１と連接される湯口カップ６が設けられる。湯口カップ６の高さが４０〜４５ｍｍである。下縦湯道２の下端にボトムゲート型湯道３が連接され、ボトムゲート型湯道３に下縦湯道２と連接される湯口カップ６が設けられ、高さが同じように４０〜４５ｍｍであり、もし大きい湯口カップを採用すれば、型枠の高さを増加する必要があるため、コストが上がり、高さが４０〜４５ｍｍである湯口カップを採用すれば、型枠の高さを増加する必要がないため、生産コストを下げた。本考案の提供した１つの湯口系を採用し、見切り位置において偏差が発生したことにより縦湯道がサンドカットしやすい問題を解決し、溶鋼が不純であることを避け、製品品質を保証するとともに、縦湯道とボトムゲート型湯道の正常な流量を保証し、コールドシャット現象の発生を避けた。
【図１】
0003178996.tif 000003
【図２】
0003178996.tif 000004
(57)【要約】      （修正有）【課題】製作が便利であり、使用が簡単であり、大量の人力と物を節約し、フィーディング効果が良く、大気圧砂質土コアの位置決めが正確である大気圧砂質土コアを固定する盲押湯を提供する。【解決手段】押湯本体を１を含み、押湯本体の頂部に砂質土コア孔２が設けられる。砂質土コア２は、円錐状で、円錐角は６０°〜９０°である。【選択図】図２
0003178997.tif 000002
【実用新案登録請求の範囲】
【請求項１】
押湯本体（１）を含む、大気圧砂質土コアを固有する盲押湯において、
前記押湯本体（１）の頂部に砂質土コア孔（２）が設けられる、ことを特徴とする大気圧砂質土コアを固有する盲押湯。
【請求項２】
前記砂質土コア孔（２）が円錐状を採用する、ことを特徴とする請求項１に記載の大気圧砂質土コアを固有する盲押湯。
【請求項３】
前記砂質土コア孔（２）の円錐角が６０°〜９０°を採用する、ことを特徴とする請求項２に記載の大気圧砂質土コアを固有する盲押湯。
【請求項４】
前記砂質土コア孔（２）の円錐角が７５°を採用する、ことを特徴とする請求項３に記載の大気圧砂質土コアを固有する盲押湯。
【考案の詳細な説明】
【技術分野】
【０００１】
本考案は、鋳造分野に係り、具体的に大気圧砂質土コアを固有する１つの盲押湯に係る。
【背景技術】
【０００２】
図１に示すように、砂型鋳造において常に普通の盲押湯を採用し、一般の状況下で押湯本体１が上鋳枠４と下鋳枠５の間の鋳造品キャビティ６に放置され、上鋳枠４と押湯本体１の間に排気孔７を有し、押湯のフィーディング能力を上げるために、通常押湯本体１の頂部に１〜２つの円柱状の小さい砂質土コア３を挿入する必要があり、その稼動原理は、打ち込みした後、溶鋼が小さい砂質土コア３を非常に高い温度まで加熱することによって、小さい砂質土コア３の周囲の溶鋼の凝固を遅くさせ、押湯本体１がフィーディングの過程において終始小さい砂質土コア３によって大気圧と連通できて真空を発生しないようにさせるため、押湯のフィーディング効率を上げることである。従来の大気圧押湯の製作は、１．小さい砂質土コア３を作成する過程、２．型合わせする時に小さい砂質土コア３を押湯本体１の型キャビティに挿入する過程、という２つの過程を有しなければならなかったため、加工技術が比較的に煩わしかった。
【考案の開示】
【考案が解決しようとする課題】
【０００３】
大気圧砂質土コアを固有する１つの盲押湯を提供し、製作が便利であり、使用が簡単であり、フィーディング効果が良く、大気圧砂質土コアの位置決めが正確である。
【課題を解決するための手段】
【０００４】
大気圧砂質土コアを固有する盲押湯であって、押湯本体を含み、前記押湯本体の頂部に砂質土コア孔が設けられる。
【０００５】
好ましくは、前記砂質土コア孔が円錐状を採用する。円錐先端部が溶鋼によって加熱されて発生した熱効率は円柱状の効果よりさらに良いため、さらに押湯のフィーディング効率を上げた。
【０００６】
好ましくは、前記砂質土コア孔の円錐角が６０°〜９０°を採用する。砂質土コア孔の円錐角がこの範囲内に落ちる時に砂質土コアが形成されやすい。
【０００７】
好ましくは、前記砂質土コア孔の円錐角が７５°を採用する。円錐先端部が７５°を成っている時に比較的に良いフィーディング効率を有する。
【考案の効果】
【０００８】
本考案は上記技術手段を採用して大気圧砂質土コアを固有する１つの盲押湯を提供し、従来の大気圧押湯において小さい砂質土コアを製作する製作工程及び型合わせする時に小さい砂質土コアを型キャビティに挿入する製作工程を免除したため、製作が便利であり、使用が簡単であり、大量の人力と物を節約し、フィーディング効果が良く、大気圧砂質土コアの位置決めが正確である。
【図面の簡単な説明】
【０００９】
【図１】普通の押湯の構造説明図である。
【図２】本考案の構造説明図である。
【考案を実施するための最良の形態】
【００１０】
図２に示すように、大気圧砂質土コアを固有する盲押湯であって、押湯本体１を含み、前記押湯本体１の頂部に砂質土コア孔２が設けられる。前記砂質土コア孔２が円錐状を採用する。前記砂質土コア孔２の円錐角が６０°〜９０°を採用し、好ましくは、７５°である。
【００１１】
実際に打ち込みした後、溶鋼は円錐状の砂質土コア孔２を非常に高い温度まで加熱することによって、砂質土コア孔２の周囲の溶鋼の凝固をさらに遅くさせ、押湯本体１がフィーディングの過程において終始大気圧と連通できて真空を発生しないことを保証し、位置決めが比較的に正確であるため、盲押湯のフィーディング効率を上げた。このような構造自身に砂質土コアとすることができる砂質土コア孔２が設けられるため、従来の大気圧押湯において小さい砂質土コア３を製作する製作工程及び型合わせする時に小さい砂質土コア３を型キャビティに挿入する製作工程という２つの製作工程を免除したため、大量の人力と物を節約した。
【図１】
0003178997.tif 000003
【図２】
0003178997.tif 000004
(57)【要約】      （修正有）【課題】一単位から加工段ボールの折畳みの厚さを平滑に安定させ、これらを積み重ねた時のパレット全体の高さを一定にし、且つ長期間使用できる潰し型を設けたロータリー抜型を提供する。【解決手段】合板製のロータリー抜型本体１の表面の所要箇所に基盤２と薄い調整シート３、ステンレス板４を順に積層した潰し型５を設けた。【選択図】図２
0003178991.tif 000002
【実用新案登録請求の範囲】
【請求項１】
合板製のロータリー抜型本体の表面の所要箇所に基盤と薄い調整シート、ステンレス板を順に積層した潰し型を設けてなる段ボール加工におけるロータリー抜型。
【考案の詳細な説明】
【技術分野】
【０００１】
本案は、加工段ボールの折畳み高さを安定させ、これらを積み重ねた時のパレット全体の高さを平滑・一定にするための段ボール潰し型に関する。
【背景技術】
【０００２】
Ａ―１式段ボールケースの製品（加工段ボール）は製造ラインにて注文寸法に加工され折畳まれた後、多くがロボット式パレタイザーによって積み上げられますが、その際、加工段ボールの材質や加工手段によっては積み重ねた高さが偏ったりして不安定となったり、パレット単位の全体の高さにバラツキが生じたりして後工程となる搬送、保管、輸送などに重大な障害となることが多い。そのためブナ材合板製のロータリー抜型の表面の所要箇所（加工段ボールの継ぎしろ位置等。）にスポンジコルク（硬度７０位）潰し型を固定して段ボールの所要位置に潰し加工を施している。
然しこのスポンジコルクの潰し型はロータリー抜型の打ち抜き回転時に起こる摩擦によって摩耗が激しく短期間で使用できなくなるおそれがある。
【考案の開示】
【考案が解決しようとする課題】
【０００３】
そこで本考案は、一単位から加工段ボールの折畳みの厚さを平滑に安定させ、これらを積み重ねた時のパレット全体の高さを一定にし、且つ長期間使用できる潰し型を設けたロータリー抜型を提供しようとするものである。
【課題を解決するための手段】
【０００４】
合板製のロータリー抜型本体の表面の所要箇所に硬質合成樹脂製等の基盤と薄い合成樹脂製等の調整シート、ステンレス板を順に積層した潰し型を固定してなるロータリー抜型を提供するものである。
【考案の効果】
【０００５】
本考案の効果として、一単位から加工段ボールの厚さが平らに安定され、これらを積み重ねた時のパレット全体の高さも一定となり、後工程の搬送、保管、輸送等で倒れたり崩れたりすることなく円滑に行うことができ、且つ摩耗も少なく長期間にわたり使用することができ、又調整樹脂シートの交換で潰し型の高低調節も簡単にできる。
【図面の簡単な説明】
【０００６】
【図１】本考案に係る段ボール加工における潰し型を設けたロータリー抜型の斜視説明図。
【図２】潰し型の拡大断面説明図。
【実施例】
【０００７】
本案を図示の実施例により詳記すると、ブナ材合板製のロータリー抜型本体１の表面の所要箇所に硬質合成樹脂製の基盤２と薄い合成樹脂製の調整シート３、ステンレス板４を順に積層した潰し型５を固定してなるものである。
【０００８】
基盤２は合成樹脂製以外の木製、金属などの硬質素材であればよく、又調整シート３は合成樹脂製以外の布、紙等でも良い。又基盤２ステンレス板４はロータリー抜型本体１に沿った湾曲状に加工しておくとよく、これらはロータリー抜型本体１の所要箇所にビス止め等の手段により固定されるが、調整シート３は厚さの異なるものを複数枚用意しておき、段ボールの潰し加減に応じて交換使用できるようにしておくと良く、又調整シート３は弾力性を有するものがよい。
【符号の説明】
【０００９】
１：ロータリー抜型本体
２：基盤
３：調整シート
４：ステンレス板
５：潰し型
【図１】
0003178991.tif 000003
【図２】
0003178991.tif 000004
(57)【要約】      （修正有）【課題】タブレット端末やスマートフォンなどの多機能携帯端末装置でＷｉＦｉ通信を用いて、自動ドア、電動シャッターの開閉や電気錠の施錠・解錠やセキュリティシステムの警戒・解除を行う遠隔制御システムを提供する。【解決手段】ＷｉＦｉユニット５を内蔵したＷｉＦｉユニット内蔵コントローラ４により、自動ドアまたは電動シャッター１の開閉を行う。ＷｉＦｉユニット内蔵コントローラ４の操作は、タッチパネル式ディスプレイを備えたタブレット型コンピュータやスマートフォンなどの多機能携帯端末装置６により、ＷｉＦｉ通信を用いて行う。ＷｉＦｉユニットをコントローラに内蔵とせず、コントローラに外付けできるようにしてもよい。【選択図】図２
0003178941.tif 000002
【実用新案登録請求の範囲】
【請求項１】
自動ドア、電動シャッターの開閉や電気錠の施錠・解錠やセキュリティシステムの警戒・解除を行うコントローラの操作と状態監視を多機能携帯端末装置でＷｉＦｉ通信を用いて行うことを特徴とする遠隔制御システム。
【考案の詳細な説明】
【技術分野】
【０００１】
本考案は、自動ドア、電動シャッターの開閉や電気錠の施錠・解錠やセキュリティシステムの警戒・解除を行うコントローラ操作の制御システムに関するものである。
【背景技術】
【０００２】
図１は、従来のシステムの構成を示した概要図である。自動ドアまたは電動シャッター１の開閉や電気錠の施錠・解錠やセキュリティシステムの警戒・解除を行うコントローラ２の操作は、玄関又は通用口で、屋外又は半屋外に設置されたテンキースイッチや非接触カードスイッチや生体認証装置３などで行われている。
【考案の概要】
【考案が解決しようとする課題】
【０００３】
テンキースイッチや非接触カードスイッチや生体認証装置などは玄関又は通用口で、屋外又は半屋外に設置するため、雨などの水に対して製品本体に防水性能を持たせるか、屋外用のボックスに入れる必要がある。この為、製品本体の構造が複雑になり、製品単価は上がりかつ形状が大きくなるため、設置する場所に困る。また、装置を家などの外に設置する為、大がかりな配線工事が必要となる。
【課題を解決するための手段】
【０００４】
上記課題を解決するため、本考案はタブレット端末やスマートフォンなどの多機能携帯端末装置でＷｉＦｉ通信を用いて、自動ドア、電動シャッターの開閉や電気錠の施錠・解錠やセキュリティシステムの警戒・解除を行うコントローラの操作を行う。
【考案の効果】
【０００５】
本考案は多機能携帯端末装置を使用することで、現状より高セキュリティを維持する事が可能となる。また、屋外や半屋外に操作端末を設置する必要がないため、配線や機器取付工事が簡素化となり、製品単価や工事のコストを押さえることができ、かつイタズラや機器の破壊をされることもなくなる。
【図面の簡単な説明】
【０００６】
【図１】従来のシステムの構成を示した概要図である。
【図２】本考案のシステムの構成を示した概要図である。
【図３】本考案の多機能携帯端末装置の１実施例を示した図である。
【考案を実施するための最良の形態】
【０００７】
図２は、本考案のシステムの構成を示した概要図である。ＷｉＦｉユニット５を内蔵したＷｉＦｉユニット内蔵コントローラ４により、自動ドアまたは電動シャッター１の開閉を行う。ＷｉＦｉユニット内蔵コントローラ４の操作は、アップルコンピュータ社のｉＰａｄ（登録商標）のようなタッチパネル式ディスプレイを備えたタブレット型コンピュータやスマートフォンなどの多機能携帯端末装置６により、ＷｉＦｉ通信を用いて行う。図２では、ＷｉＦｉユニットをコントローラに内蔵したが、コントローラに外付けできるようにしてもよい。
【０００８】
次に多機能携帯端末装置の使用方法について説明を行う。図３は、本考案の多機能携帯端末装置の１実施例を示した図である。多機能携帯端末装置の画面上にある専用アイコン（図示せず）を選択すると図３の画面に切り替わる。ＩＤ番号入力ボタン７を選択し、テンキーボタン１１で使用者のＩＤ番号の入力を行い、暗証番号ボタン入力ボタン８を選択し、テンキーボタン１１で暗証番号の入力を行うことで照合されると、ＷｉＦｉユニット番号入力ボタン９を選択することができる。
【０００９】
ＷｉＦｉユニット番号入力ボタン９を選択し、テンキーボタン１１で操作するＷｉＦｉユニット番号の入力を行う。状態操作ボタン１０の「開」ボタンを選択することにより自動ドアまたは電動シャッターを開き、「閉」ボタンを選択することにより自動ドアまたは電動シャッターを閉じ、「停止」ボタンで自動ドアまたは電動シャッターの動作を停止する。
【００１０】
図３には無いが、状態監視や履歴表示の機能を追加してもよい。さらに、顔認証による照合の機能も追加すれば、セキュリティ性が向上される。
【００１１】
また、図３の状態操作ボタン１０「施錠」、「解錠」、「警戒」、「解除」などにし、電気錠のコントローラやセキュリティ用のコントローラにＷｉＦｉユニットを内蔵することにより、図２と同様のシステムを運用することができる。
【符号の説明】
【００１２】
１・・・自動ドアまたは電動シャッター
２・・・従来のコントローラ
３・・・テンキースイッチや非接触カードスイッチや生体認証装置
４・・・ＷｉＦｉユニット内蔵コントローラ
５・・・ＷｉＦｉユニット
６・・・多機能携帯端末装置
７・・・ＩＤ番号入力ボタン
８・・・暗証番号入力ボタン
９・・・ＷｉＦｉユニット番号入力ボタン
１０・・・状態操作ボタン
１１・・・テンキーボタン
【図１】
0003178941.tif 000003
【図２】
0003178941.tif 000004
【図３】
0003178941.tif 000005
【手続補正書】
【提出日】平成24年8月6日(2012.8.6)
【手続補正１】
【補正対象書類名】実用新案登録請求の範囲
【補正対象項目名】全文
【補正方法】変更
【補正の内容】
【実用新案登録請求の範囲】
【請求項１】
自動ドア、電動シャッターの開閉や電気錠の施錠・解錠やセキュリティシステムの警戒・解除を行うコントローラ操作の制御システムであって、前記コントローラにはＷｉＦｉユニットを内蔵、または外付けし、このコントローラの操作と状態監視を多機能携帯端末装置により、ＷｉＦｉ通信で接続し、行うことを特徴とする遠隔制御システム。
(57)【要約】      （修正有）【課題】新聞紙の迅速、簡単なページめくりができるページめくり機構を提供する。【解決手段】新聞紙の上角または下角あるいはその両方の角に、切断面が垂直もしくは斜めにカットされた切り込みを設け、紙面を捕まえやすくする。【選択図】図１
0003178949.tif 000002
【実用新案登録請求の範囲】
【請求項１】
新聞紙の上角または下角あるいはその両方の角に、切断面が垂直もしくは斜めにカットされた切り込みを設けることを特徴とするページめくり機構。
【考案の詳細な説明】
【技術分野】
【０００１】この考案は新聞紙のページめくりに関するものである。
【背景技術】
【０００２】めくりにくい新聞紙のページを簡単な工作と簡単な動作をもって、容易に目的を果たせるよう開発をしたい。
【考案の開示】
【考案が解決しようとする課題】
【０００３】安価にして簡単な製作加工と、同じく簡単な動作で迅速に新聞紙のページをめくりたい。
【課題を解決するための手段】
【０００４】新聞紙の上角または下角あるいは両方の角に、切断面が垂直もしくは斜めにカットした切り込みを設ける。
斜めのカットであれば紙面のずれを利用できるため、めくるためには理想的である。
【考案の効果】
【０００５】切り込みを設けられた角は構造上紙面を捕まえやすく、それゆえにめくりやすい状況が発生する。
【考案を実施するための最良の形態】
【０００６】小さすぎず大きすぎない大きさを考慮して定めた寸法の切り込みでありたい。
【実施例】
【０００７】斜めにカットされた切り込みであれば理想的である。
【産業上の利用可能性】
【０００８】迅速にして簡単な使用動作が期待でき、且つ製作は安価である。
【図面の簡単な説明】
【０００９】
【図１】正面図
【符号の説明】１  新聞紙          ２  切り込み
【図１】
0003178949.tif 000003
(57)【要約】      （修正有）【課題】ひき肉等の食材をフライパンで炒めるとき、手早く食材をほぐすことができる調理器具を提供する。【解決手段】へら本体１の先端部分に凹凸状態に欠けた部分２を加工する。【選択図】図１
0003178957.tif 000002
【実用新案登録請求の範囲】
【請求項１】
ひき肉等の食材を炒めるとき、だんご状態になった食材を手早くほぐすために、へらの先端に凹凸形状に欠けた部分を加工して、食材を手早くほぐせるようにした調理器具。
【考案の詳細な説明】
【技術分野】
【０００１】本考案は、ひき肉等の食材を炒めるとき、だんご状態になった食材を手早くほぐすために、へらの先端部分に凹凸形状に欠けた部分を加工し、だんご状態になった食材を手早くほぐせるように考案したものである。
【背景技術】
【０００２】ひき肉等の食材をフライパンで炒めるとき、鉄板を加熱しながら食材を炒める為、手早く食材をほぐす必要があるが、従来の食材炒め器具は、ひき肉等のだんご状態になった食材をほぐすとき、先端が平たいだけのへらで食材をほぐしていた為、手早く食材をほぐすことが困難であった。
【考案の開示】
【考案が解決しようとする課題】
【０００３】しかし、これでは手早く食材をほぐして食材を均等に炒めることが困難であり、食材をほぐす動作を数十回にわたって繰り返すという不便さがあった。
【課題を解決するための手段】
【０００４】そこで、へらの先端部分に凹凸形状の切れ目を加工し、一回の動作で食材を数倍早くほぐすことができるようにした。
【考案の効果】
【０００５】よって、本考案に係る調理器具を使用することにより、食材をほぐす時間が短縮され、食材を手早く、均等に炒めることができる。
【考案を実施するための最良の形態】
【０００６】本考案に係る調理器具は、ひき肉等の食材を炒めるときに、だんご状態になった食材を手早くほぐすための調理器具ではあるが、同時に食材を炒めるへらの役目を果たす必要もあり、へらの先端部分に加工する凹凸に欠けた部分の巾と奥行きが、大きくなり過ぎないように製作するのが望ましい。
【図面の簡単な説明】
【０００７】
【図１】本考案に係る食材炒め調理器具の平面図である。
【図２】本考案に係る食材炒め調理器具の側面図である。
【符号の説明】
【０００８】１    食材炒め調理器具本体。
２    凹凸に加工した部分
３    取っ手
【図１】
0003178957.tif 000003
【図２】
0003178957.tif 000004
(57)【要約】      （修正有）【課題】より一層こりこりした弾力のある食感が得られる糸こんにゃくを提供する。【解決手段】金型の孔部から押し出されて成形される糸こんにゃくの断面形状を四角形とする。【選択図】図１
0003178910.tif 000002
【実用新案登録請求の範囲】
【請求項１】
金型の孔部から押し出されて成形される糸こんにゃくにおいて、前記糸こんにゃくの断面形状が多角形であることを特徴とする糸こんにゃく。
【請求項２】
前記糸こんにゃくの断面形状は四角形であることを特徴とする請求項１に記載の糸こんにゃく。
【考案の詳細な説明】
【技術分野】
【０００１】
本考案は糸こんにゃくに関する。
【背景技術】
【０００２】
特許文献１には、略垂直方向に配置される管体の内壁に沿って螺旋状ガイドを形成し、該管体の上部側から多数の糸条こんにゃくを温水とともに供給落下させ、落下温水に対し、渦巻き状の流れを発生させてその下流側から綱状に収束されたねじり糸こんにゃくを取り出すように構成してなるねじり糸こんにゃくの製造装置が記載されている。
【先行技術文献】
【特許文献】
【０００３】
【特許文献１】特開平０８−１４０６１７号公報
【考案の概要】
【考案が解決しようとする課題】
【０００４】
特許文献１に記載の製造装置で製造されるねじり糸こんにゃくは、綱状に収束された形状を有しており、だしがからみやすくすることはできるが、１本の糸こんにゃくの断面形状は一般的には円形であり、食べたときの食感を向上させることができない。
【０００５】
本考案の目的は、より一層こりこりした弾力のある食感が得られる糸こんにゃくを提供することである。
【課題を解決するための手段】
【０００６】
この課題を解決するために請求項１に記載の考案は、金型の孔部から押し出されて成形される糸こんにゃくにおいて、前記糸こんにゃくの断面形状が多角形である。
請求項２に記載の考案は、糸こんにゃくの断面形状が四角形である。
【考案の効果】
【０００７】
請求項１に記載の考案によれば、断面形状が円形の糸こんにゃくに比べて、こりこりした弾力のある食感を得ることができる。また、糸こんにゃくの表面積が広くなるので、だしがからみやすくなる。
請求項２に記載の考案によれば、一層こりこりした弾力のある食感を得ることができる。
【図面の簡単な説明】
【０００８】
【図１】本考案の一実施形態に係る糸こんにゃくの一部断面斜視図である。
【考案を実施するための形態】
【０００９】
本考案の一実施の形態について図１に基づいて説明する。まず、糸こんにゃく１の作り方を説明する。収穫した生芋が水洗いされ、裁断して切り干しにされる。切り干しにされたこんにゃくは、粉状にされて湯の中に入れられ混ぜ合わされる。粉状のこんにゃくが混ぜ合わされた湯には、消石灰をぬるま湯に溶かした石灰水が加えられ、全体が均一になるように混ぜ合わされる。石灰水が混ぜ合わされたこんにゃくは金型の孔部から押し出されて糸こんにゃくが作られる。
【００１０】
金型には、十字状に形成された孔部が形成されており、この十字状の孔部から糊状のこんにゃくを押し出すことによって、断面形状が四角形の糸こんにゃくが形成される。なお、孔部が四角形に形成されている場合にも断面形状が四角形の糸こんにゃくを作ることができる。
【００１１】
糸こんにゃくの断面形状を四角形とすることによって、断面形状が円形の糸こんにゃくに比べて、一層こりこりした弾力のある食感を得ることができる。糸こんにゃくの断面形状は四角形に限定されるものではなく、金型に断面が三角形の孔部を形成することによって断面形状が三角形の糸こんにゃくを形成することができる。糸こんにゃくの断面形状は、五角形，六角形などの多角形とすることもできる。この場合にも、断面形状が円形の糸こんにゃくに比べて、こりこりした弾力のある食感を得ることができる。
【００１２】
このように、金型の孔部から押し出されて成形される糸こんにゃくにおいて、前記糸こんにゃくの断面形状は多角形であるので、断面形状が円形の糸こんにゃくに比べて、こりこりした弾力のある食感を得ることができる。
【００１３】
さらに、糸こんにゃくの断面形状が四角形であるので、一層こりこりした弾力のある食感を得ることができる。
【符号の説明】
【００１４】
１  糸こんにゃく
【図１】
0003178910.tif 000003
(57)【要約】      （修正有）【課題】台座とその上部に配置された墓石からなる墓石体において、台座と墓石をこれらの内部で支柱により連結することにより、墓石が揺れにより、転倒しにくい様な構造とした墓石体を提供する。【解決手段】墓石１の下部に凹みをつけ、台座２の上部にも凹みをつける。これ等の凹部に支柱３を入れて、墓石１と台座２を接続して、墓石１が台座２より転倒することを防止する構造とする。【選択図】図２
0003178939.tif 000002
【実用新案登録請求の範囲】
【請求項１】
墓石１の凹みと台座２の凹みに支柱３を入れる。
【考案の詳細な説明】
【考案が解決しようとする課題】
【０００１】転倒を防止する為の工夫がしていない問題点があった。
【課題を解決するための手段】
【０００２】転倒を防止する為に墓石１の下部に凹みをつける。台座２の上部に凹みをつける。そこえ支柱３を入れて墓石１と台座２を接続する。
【考案の効果】
【０００３】支柱３を入れる事により転倒が防止出来る。
【図面の簡単な説明】
【０００４】墓石と台座の間に支柱を入れる。
【図１】
0003178939.tif 000003
【図２】
0003178939.tif 000004
【図３】
0003178939.tif 000005
【手続補正書】
【提出日】平成24年8月14日(2012.8.14)
【手続補正２】
【補正対象書類名】明細書
【補正対象項目名】０００４
【補正方法】変更
【補正の内容】
【０００４】
【図１】上面図  墓全体を上から見た図
【図２】正面図  墓全体を正面から見た図
【図３】底面図  墓全体を底から見た図
(57)【要約】【課題】  カップから遠く離れた場所に置いてもその置き場所を確認できるゴルフボール用マーカーを提供する。【解決手段】  円盤部１と、該円盤部１の下面中央にグリーン面に突き刺す脚部２が形成されたゴルフボール用マーカーであって、前記円盤部１の周面の適位置に該円盤部１と同一平面を保ってグリーン面Ｇに突き刺す第二の脚部３を設けたゴルフボール用マーカー。【選択図】  図４
0003178940.tif 000002
【実用新案登録請求の範囲】
【請求項１】
円盤部と、該円盤部の下面中央にグリーン面に突き刺す脚部が形成されたゴルフボール用マーカーであって、前記円盤部の周面の適位置に該円盤部と同一平面を保ってグリーン面に突き刺す第二の脚部を設けたことを特徴とするゴルフボール用マーカー。
【請求項２】
前記第二の脚部をそれぞれ近接させて複数設けたことを特徴とする請求項１に記載のゴルフボール用マーカー。
【考案の詳細な説明】
【技術分野】
【０００１】
本考案は、ゴルフボール用マーカーに関する。
【背景技術】
【０００２】
従来一般に提供されているゴルフボール用マーカーは、小さな円盤部の下面中央にグリーン面に突き刺す脚部を形成したものであった。
【０００３】
しかし、前記従来一般のゴルフボール用マーカー（以下単に「マーカー」と言う。）はグリーン上に置いた時に前記円盤部がグリーン面と同一平面となるためその置き場所を確認することが困難な場合があった。
【０００４】
特に、カップから遠く離れた場所に前記マーカーが置かれた場合であってカップ側からパッテングラインを読む場合には前記マーカーの置き場所の確認が困難であった。そこで必要に応じて遠くから確認できる構造のマーカーが提案されている（登録実用新案第３０４８０１７号公報）。
【０００５】
前記提案されたマーカーは、円盤状の基盤部と、この基盤部の下面側に垂下し、グリーン面に埋め込み可能なピン状の埋め込み部とを備えたゴルフボール用マーカーにおいて、前記基盤部には、この基盤部に覆いつく閉止位置と基盤部から立ち上がった起立位置との間を回動可能な起立部がヒンジを介して備えられていることを特徴としている。
【先行技術文献】
【特許文献】
【０００６】
【特許文献１】登録実用新案第３０４８０１７号公報
【考案の概要】
【考案が解決しようとする課題】
【０００７】
本考案は、従来一般のマーカーと同様に前記円盤部をグリーンと同一平面に置いて使用することができるとともに、カップから離れた場所に置く場合には前記円盤部を縦方向にして置くことができ、遠くから置き場所を容易に確認することができるマーカーを単純な構造で安価に提供することを目的とする。
【課題を解決するための手段】
【０００８】
前記目的を達成するための本考案に係るマーカーは、円盤部と、該円盤部の下面中央部にグリーン面に突き刺す脚部が形成されたマーカーであって、前記円盤部の周面の適位置に該円盤部と同一平面を保ってグリーン面に突き刺す第二の脚部を設けたことを特徴とする。
【０００９】
前記本考案によれば、従来一般のマーカーと同様に円盤部の下面中央部に形成された脚部をグリーン面に突き刺して使用することができる。また、グリーン上のボールがカップより遠く離れた位置に載った場合には、前記第二の脚部をグリーン面に突き刺して前記円盤部をカップ方向に向けて置くことができる。
【００１０】
すなわち、前記円盤部を縦方向にしてグリーン面に置くことができ、カップ方向からパッテングラインを読む場合にマーカーの位置を容易に確認することができる。その結果、プレーの進行も早められる。
【００１１】
本考案の実施の一形態は、前記第二の脚部を近接させて複数設けたことを特徴とする。この実施の一形態によれば、前記複数の第二の脚部をグリーン面に突き刺すことにより前記円盤部の回動が完全に固定されて風などにより揺動あるいは倒されたりすることが防止される。
【考案の効果】
【００１２】
本考案のマーカーによれば、必要に応じて円盤部を縦方向にしてグリーン面に置くことができ、遠くからの確認が容易である効果が得られる。また、プレーの進行も早められる。
【図面の簡単な説明】
【００１３】
【図１】本発明の実施の一形態を示し平面図である。
【図２】図１に示すマーカーの側面図である。
【図３】従来一般の使用状態を状態を示す側面図である。
【図４】本考案の使用状態を示す正面図である。
【図５】他の実施の一形態を示す平面図である。
【考案を実施するための形態】
【００１４】
図１及び図２において、１は小さな円盤部であり、２は該円盤部１の下面中央
部に形成されグリーン面に突き刺す脚部である。従来一般のマーカーは前記円盤部１及び脚部２がプラスチックの一体成形などによって構成されている。
【００１５】
本考案では、さらに、前記円盤部１の周面の適位置に該円盤部１と同一平面を
保ってグリーン面に突き刺す第二の脚部３が設けられる。この本考案の構成は従
来のマーカーと同様にプラスチックによる一体成形が可能であり単純な構造で安
価に提供することができる。図５は、前記複数の第二の脚部を近接させて複数３、
３設けた例である。
【００１６】
前記構成の本考案のマーカーは、図３に示すように、従来一般のマーカーと同様に前記円盤部１の下面中央部に形成された脚部２をグリーン面Ｇに突き刺して使用される。
【００１７】
また、グリーン面Ｇのカップ（図示せず）から遠く離れた位置にボールが載った場合には、図４に示すように、前記第二の脚部３をグリーン面Ｇに刺し込んで円盤部１を縦方向にしてグリーン上に置くことができる。
【００１８】
すなわち、前記円盤部１の表面をカップ方向に向けて縦方向にしてグリーン面Ｇに置くことができる。したがって、カップの方向からパッテングラインを読む場合に離れた位置にあるマーカーを容易に確認することができる。その結果、プレーの進行が早められる。
【００１９】
また、図５に示す実施例のマーカーの複数の脚部３、３をグリーン面Ｇに突き刺した場合には前記円盤部１の回動が完全に固定されて風などにより揺動させられたり倒されたりすることが防止される。
【産業上の利用可能性】
【００２０】
本考案の装置によれば、必要に応じて円盤部を縦方向にしてグリーン面に置くことができ、離れた位置からの確認が可能である。また、結果として、プレーの進行が早められ、産業上の利用可能性は大である。
【符号の説明】
【００２１】
１    円盤部
２    脚部
３    第二の脚部
Ｇ    グリーン面
【図１】
0003178940.tif 000003
【図２】
0003178940.tif 000004
【図３】
0003178940.tif 000005
【図４】
0003178940.tif 000006
【図５】
0003178940.tif 000007
(57)【要約】      （修正有）【課題】ごみ箱の内袋（ごみ袋）を簡単に、きれいな形に整えてごみ箱に固定出来る器具を提供する。【解決手段】該器具は、輪状の帯体１、２各２個づつよりなる。上記の輪状の帯体１を１個づつごみ箱の外面の対角位置に、輪の口を上を向けて輪が扁平になる様に押しつけ、両面接着テープにより接着する。残り２個の輪状の帯体２を、上記の一対の輪状の帯体１の輪の中に挟み、上下に滑らせて使用出来る様に挿入する。内袋をごみ箱の内部に装着し、袋の口の縁りの部分をごみ箱の外側に折り返し、袋の口の縁りの一部５をつまんで、上記輪状の帯体２を、若干上に引き上げて出来る輪の間際４に差し込む。次に輪状の帯体２を下に引き下げて、内袋を固定する。【選択図】図５
0003178934.tif 000002
【実用新案登録請求の範囲】
【請求項１】
ごみ箱の胴の外面に装着して用い、内袋（ごみ袋）の把っ手や袋の一部分を掴んで、袋全体をごみ箱に固定することを特徴とする器具。
【考案の詳細な説明】
【技術分野】
【０００１】ごみ箱には、通常内袋（ごみ袋）を用いる。内袋の使用は、ごみが溜まると、袋のまま入れ替えることなしに捨てることが出来て、便利だからである。また内袋は、ごみの水分等でごみ箱を汚さないためでもある。【０００２】ごみ箱の内袋は、リユースのレジ袋か、専用のゴミ袋が用いられている。その多くはポリエチレン製であり、大半の袋は把っ手を備えている。
【背景技術】
【０００３】これまで、ごみ袋をごみ箱に固定する方法は、袋の口の縁りを箱の口の外側に折り返す程度であり、まれにゴムベルトや紐で鉢巻状に縛っている例が見られる。
【考案の概要】
【考案が解決しようとする課題】
【０００４】大半のごみ箱は、内袋を固定（セット）する機能を持っていない。このため、ごみが溜まると、ごみの重みで袋が箱の内側に引き込まれやすい。また、この袋が引き込まれるのを防ぐため、袋の口の部分を、長く箱の外側に折り返すと、美観を損なう事になりやすく、特に袋の把っ手が垂れ下がる状態は見苦しいものである。
【課題を解決するための手段】
【０００５】請求項１の考案になる器具の構造は、２個の部品で構成されている。図１は、本考案になる全体図、即ち２つの部品を組み合わせた斜視図である。２個の部品は、いずれも輪状の帯である。図面の符号１の部品は、ごみ箱の胴の外面に接着して用いる。符号２の部品は、符号１の部品の輪の間隙に挟み、上下に滑らせて用いる。【０００６】図２は、本考案になる器具の２個の部品を分離して、斜視図で示した。【０００７】図３は符号１の部品の上面図である。符号３は、両面接着テープである。この部品の輪は、符号２の部品を挿入して用いるため、扁平になるようにして、ごみ箱に接着する。【０００８】本考案になる器具は、ごみ箱の胴板の外面の、対角する２箇所に接着して用いる。袋の２本の把っ手を対角線上で掴まえるためである。器具を接着する位置は、図４のように、符号１の部品の上部が、ごみ箱の口の縁りから約５ｃｍ下方がよい。【０００９】本考案の利用方法は、内袋（ごみ袋）に把っ手がある場合は、その把っ手（符号５）を、把っ手がない袋は、その袋の口の縁りの一部を、つまんで、図５に示すように、符号４の間隙（穴）に差し込む。このとき、符号２の部品は、上方に引き上げると、符号４の間隙（穴）はつくりやすくなり、袋の把っ手等を差し込みやすくなる。【００１０】内袋の把っ手等を符号４の間隙（穴）に差し込んだ後は、符号２の部品を引き下げると、袋の把っ手等は締め付けられて、動きが止められ、袋全体も固定されることになる（図６）。
【考案の効果】
【００１１】本考案になる器具を利用することによる第一の効果は、ごみ袋をごみ箱にしっかり固定できるため、ゴムベルトや紐が不要になり、手間も軽減する。【００１２】本考案になる第二の効果は、ごみ箱の口の縁りで折り返される袋の始末が簡単に行えることになった。即ち、袋の把っ手等を符号４の間隙で引っ張って固定すると、袋の縁りは、符号１の部品より下方には垂れ下がらない。つまり符号１の部品とごみ箱の投入口の縁りの間（約５ｃｍの巾）で、袋の口の縁りを整えることが出来ることになり、美観を損ねる袋の把っ手の垂れの処理も、図７のように、きれいに整えることができるようになった。
【考案を実施するための形態】
【００１３】本考案になる器具の素材は、硬質の板紙や合成樹脂の板、皮革、布貼りの板紙等を用いることができる
【００１４】本考案になる器具の大きさは、帯の巾が最大３５ｍｍ程度、符号１の部品の外周は最大９０ｍｍ程度。符号２の部品は、輪の外周は最大２００ｍｍ程度、帯の厚みは最大１．５ｍｍ程度が良い。
【図面の簡単な説明】
【００１５】
【図１】図１は、本考案になる器具の斜視図。
【図２】図２は、本考案になる器具を構成する２個の部品の斜視図
【図３】図３は、ごみ箱に接着する部品（符号１）の上面図。
【図４】図４は、本考案になる器具をごみ箱に接着した状態を示す斜視図。
【図５】図５は、本考案になる器具の中、スライドさせる部品の輪の空隙に、ごみ袋の把っ手を差し込んだ状態を示す。
【図６】図６は、器具のスライドできる部品を下方に引き下げ、袋の把っ手を締めつけた状態を示す。
【図７】図７は、本考案になる器具を用い、袋をごみ箱に固定した状態を示す斜視図。
【符号の説明】
【００１６】１  本考案になる器具の部品の中、ごみ箱に接着する方の部品。
２  器具の部品の中、スライド（移動）させる方の部品。
３  両面接着テープ。
４  符号２の部品の輪の空隙。
５  ごみ袋の把っ手。
６  内袋（ごみ袋）。
【図１】
0003178934.tif 000003
【図２】
0003178934.tif 000004
【図３】
0003178934.tif 000005
【図４】
0003178934.tif 000006
【図５】
0003178934.tif 000007
【図６】
0003178934.tif 000008
【図７】
0003178934.tif 000009
【手続補正書】
【提出日】平成24年7月23日(2012.7.23)
【手続補正１】
【補正対象書類名】実用新案登録請求の範囲
【補正対象項目名】全文
【補正方法】変更
【補正の内容】
【実用新案登録請求の範囲】
【請求項１】
ごみ袋の把っ手を差し込むための穴を形成する輪帯状の部品と、この部品を差し込んで保持するための、扁平の輪帯状の部品で構成し、保持するための部品を、ごみ箱の胴の相対する２面の外側に接着して用いることを特徴とする器具。
(57)【要約】      （修正有）【課題】握る動作に加え、反対方向への動作、つまり手のひらを開く動作も併用し行うことが可能で前腕筋をバランスよく鍛える鍛錬器具を提供する。【解決手段】リストバンド、または、それと類似する形状の装具に負荷のあるコード巻き取り器が装着されており、巻き取り器に内包したコード等の先端部を指先と連結し指を開くまたは閉じる動作でコード等を引き出すと、その動作に負荷がかかり指、前腕を鍛える。【選択図】図１
0003178932.tif 000002
【実用新案登録請求の範囲】
【請求項１】
リストバンド、または、それと類似する形状の装具にコード巻き取り器を装着し、巻き取り器に内包したコード等を指先と連結しコードを引き出すことで運動する器具
【請求項２】
請求項１と同等の構造で巻き取り器の代わりにゴム、ばねなどで負荷をかけた運動器具
【請求項３】
請求項１と同等の構造で、指先を開く、閉じる（握る）動作を併用する運動器具
【考案の詳細な説明】
【技術分野】
【０００１】本考案は、手のひらを開く動作、また閉じる動作に負荷を加え、前腕筋を全体的かつ効果的に鍛えるトレーニング器具に関するものである
【背景技術】
【０００２】従来の器具は、主に手のひらを閉じる動作で鍛えるものが主流であり、逆の動作つまり開く動作により鍛える器具がまれであった。本考案は開く、握る動作を併用してトレーニングできるため、前腕筋を全体的かつ効果的に鍛えることが出来る。
【考案の概要】
【考案が解決しようとする課題】
【０００３】従来の器具は手のひらを内側に曲げようとする動作、握る動作に負荷をかけ前腕筋の内側を中心に鍛えるもので、本考案は従来の器具と異なり反対方向への動作、つまり手のひらを開く動作を加えて前腕筋をバランスよく鍛えるものである。
【課題を解決するための手段】
【０００４】リストバンドには抵抗のある巻取り器が装着されており巻取り器の中に内蔵されたコード引き出す際に負荷が発生する。コードの先端を指先に連結し握る、開く動作を行うことで前腕筋鍛える。
▲１▼指先を開く動作行う際は巻き取り器部分を手首の内側にセットしコードを指先で引き出す、開く動作を行う。
▲２▼指先を閉じる（握る）動作行う際は巻き取り器部分を手首の外側にセットしコードを指先で引き出す、閉じる（握る）動作を行う。
【考案の効果】
【０００５】本考案は開く、握る動作を併用してトレーニングできるため、前腕筋を全体的かつ効果的に鍛えることが出来る。
【実施例】
【０００６】Ａ．指先を開く動作行う際は巻き取り器部分を手首の内側にセットしコードを指先で引き出す、開く動作を行う。
Ｂ．指先を閉じる（握る）動作行う際は巻き取り器部分を手首の外側にセットしコードを指先で引き出す、閉じる（握る）動作を行う。
【図面の簡単な説明】
【０００７】
【図１】指先を開く動作を描写した図面である
【図２】指先を閉じる（握る）動作を描写した図面である
【符号の説明】
【０００８】１、リストバンド
２、コード巻き取り器
３、コード
４、フィンガーホルダー
【図１】
0003178932.tif 000003
【図２】
0003178932.tif 000004
【手続補正書】
【提出日】平成24年7月17日(2012.7.17)
【手続補正２】
【補正対象書類名】実用新案登録請求の範囲
【補正対象項目名】全文
【補正方法】変更
【補正の内容】
【実用新案登録請求の範囲】
【請求項１】
リストバンド、または、それと類似する形状の装具に負荷のあるコード巻き取り器が装着されており、巻き取り器に内包したコード等の先端部を指先と連結し指を開くまたは閉じる動作でコード等を引き出すと、その動作に負荷がかかり指、前腕を鍛える指前腕鍛錬器具
【請求項２】
請求項１と同等の構造で巻き取り器の代わりにゴム、ばねなどで負荷をかけた指前腕鍛錬器具
(57)【要約】      （修正有）【課題】ＸＹプロッターに取り付けてある厚みをもった板状の材料の木口を加工するための道具で、コの字カットあるいは袋カットが行える関節式ルーターを提供する。【解決手段】関節３を調節してエアモーター４に接続してあるルーター５の先端が木口に当たるようにしてから、エアモーター４を回転させ木口を削りながら木口に対してＹ軸をＸ軸方向に移動させてコの字カットなどを行う。【選択図】図２
0003178464.tif 000002
【実用新案登録請求の範囲】
【請求項１】
Ｘ軸、Ｙ軸が独立して動けるＸＹプロッターにおいて、ある厚みをもった板状の材料の木口を加工するための道具で、ルーターを保持してコの字カットあるいは袋カットが行なえることを特徴とする関節式ホルダー。
【請求項２】
関節を持ち、その先にエアモーターで駆動するルーターが保持できることを特徴とする関節式ホルダー。
【請求項３】
関節を持ち、関節は自動制御で指定角度で保持できることを特徴とする関節式ホルダー。
【請求項４】
関節を持ち、関節はエアシリンダーで動かし一定角度で保持できることを特徴とする関節式ホルダー。
【考案の詳細な説明】
【技術分野】
【０００１】    ＸＹプロッターに取り付けてある厚みをもった板状の材料の木口を加工するための道具で、コの字カットあるいは袋カットが行える装置に関する。
【背景技術】
【０００２】    板状の材料の木口を加工するための装置は無かった。
【考案の開示】
【考案が解決しようとする課題】
【０００３】    本考案は上記問題に鑑みてなされたものであり、ある厚みをもった板状の材料の木口をルーター加工するため、ＸＹプロッターのＹ軸のホルダー２から関節を介して丁度木口にルーターがあたるようにすればよい。
【考案の効果】
【０００４】    上記考案によれば簡単に木口５の加工ができる。【０００５】    エアモーターで駆動するルーター７が軽量なのでこの長い手を持つホルダーになじむ。
【考案を実施するための最良の形態】
【実施例１】
【０００６】    この実施例を図面に基づいて説明する。図１図２はこの考案の概要を示す概念図である。【０００７】    関節３を調節してエアモーター６に接続してあるルーター７の先端が木口５に当たるようにしてから、エアモーター６を回転させ木口５を削りながら木口に対してＹ軸をＸ軸方向に移動させてコの字カット８などを行う。
【考案の効果】
【０００８】    今までできなかった厚板の木口カットが簡単にできる。
【図面の簡単な説明】
【０００８】
【図１図２】
Ｙ軸に取り付けてある本考案の関節式ホルダー。
【符号の説明】
【０００９】    １  Ｙ軸    ２  Ｙ軸のホルダー    ３  関節    ４  木口    ５  エアモーター    ６  ルーター    ７  コの字カット
【図１】
0003178464.tif 000003
【図２】
0003178464.tif 000004
【手続補正書】
【提出日】平成24年6月21日(2012.6.21)
【手続補正１】
【補正対象書類名】実用新案登録請求の範囲
【補正対象項目名】全文
【補正方法】変更
【補正の内容】
【実用新案登録請求の範囲】
【請求項１】
エアモーターで回転するルーター刃を関節付きホルダーに組み込みＸＹプロッターにセットすることにより板材の表面や木口を一定の角度で自由に掘削することを特徴とする関節式ルーター。
【請求項２】
関節はエアシリンダーにより自動制御し任意の指定角度を保持しながらＸＹ方向またはＺ軸（上下）方向に掘削を進めることを特徴とする請求項１に記載した関節式ルーター。
【手続補正２】
【補正対象書類名】明細書
【補正対象項目名】全文
【補正方法】変更
【補正の内容】
【考案の詳細な説明】
【技術分野】
【０００１】    ＸＹプロッターに取り付けてある厚みをもった板状の材料の板面または木口を任意の角度で掘削加工するための道具で、コの字カットあるいは袋カットが行える装置に関する。
【背景技術】
【０００２】    板状の材料の板面または木口を任意の角度で加工するための装置は無かった。
【考案の開示】
【考案が解決しようとする課題】
【０００３】    本考案は上記問題に鑑みてなされたものであり、ある厚みをもった板状の材料の板面または木口をルーター加工するため、ＸＹプロッターのＹ軸のヘッドから関節を介して任意の角度で板面又は木口にルーターがあたるようにすればよい。
【考案の効果】
【０００４】    上記考案によれば任意の角度で板面または木口の加工が出来る。【０００５】    エアモーターで駆動するルーターが軽量なので関節の角度制御が容易である。
【考案を実施するための最良の形態】
【実施例１】
【０００６】    この実施例を図面に基づいて説明する。図１図２はこの考案の概要を示す概念図である。【０００７】    関節３を調節してエアモーター４に接続してあるルーター５の先端が木口に当たるようにしてから、エアモーター４を回転させ木口を削りながら木口に対してＹ軸をＸ軸方向に移動させてコの字カットなどを行う。
【考案の効果】
【０００８】    今までできなかった厚板の木口カットが簡単にできる。
【図面の簡単な説明】
【０００８】
【図１】ないし
【図２】Ｙ軸に取り付けてある本考案の関節式ホルダー。
【符号の説明】
【０００９】    １  Ｙ軸
２  Ｙ軸のヘッド
３  関節
４  エアモーター
５  ルーター
【手続補正３】
【補正対象書類名】図面
【補正対象項目名】全図
【補正方法】変更
【補正の内容】
【図１】
0003178464.tif 000005
【図２】
0003178464.tif 000006